(57)【要約】【課題】電気的接続が安定し、かつ、小型化が図られたシールドケース構造、チューナ装置および受信装置を提供する。【解決手段】シールドケース構造は、第１のシャーシ側板２および第１の側板に隣接する第２および第３のシャーシ側板３，４を含むフレームと、第１のシャーシ側板２に接続されたアンテナ端子１と、フレームの内部に設けられ、アンテナ端子の中心導体が接続される回路基板７とを備え、第２および第３のシャーシ側板３，４が、第１のシャーシ側板２の縁面よりもアンテナ端子の突出方向に延在する延在部３Ａ，４Ａを含み、該延在部３Ａ，４Ａが外部機器の筐体に当接するように構成されている。【選択図】図２
2012119514.tif 000002
【特許請求の範囲】
【請求項１】
第１の側板および前記第１の側板に隣接する２つの側板を含むフレームと、
前記第１の側板に接続されたアンテナ端子と、
前記フレームの内部に設けられ、前記アンテナ端子の中心導体が接続される回路基板とを備え、
前記２つの側板のうち少なくとも１つが、前記第１の側板の縁面よりもアンテナ端子の突出方向に延在する延在部を含み、該延在部が外部機器の筐体に当接するように構成された、シールドケース構造。
【請求項２】
前記第１の側板の少なくとも一方の端面が、延在部を備える隣接する側壁に当接する、請求項１に記載のシールドケース構造。
【請求項３】
前記第１の側板の両端が、互いに対向する前記２つの側板によって挟持される、請求項１に記載のシールドケース構造。
【請求項４】
アンテナ端子の台座部の高さＡ、アンテナ端子の不完全ネジ領域の幅Ｂ、前記筐体の板厚Ｃとしたときに、前記延在部の先端までの長さＤを、Ｄ≧Ａ＋Ｂ−Ｃの関係に設定する、請求項１から請求項３のいずれかに記載のシールドケース構造。
【請求項５】
前記延在部は、その延在方向に対してアンテナ端子側にＬ字形状に屈曲している、請求項１から請求項４のいずれかに記載のシールドケース構造。
【請求項６】
前記延在部は、その延在方向に対してアンテナ端子と反対側にＬ字形状に屈曲している、請求項１から請求項４のいずれかに記載のシールドケース構造。
【請求項７】
前記Ｌ字形状に屈曲した延在部にネジ孔を設け、
前記ネジ孔に固定したネジにより、前記筐体と前記延在部とをネジ止めしている、請求項６に記載のシールドケース構造。
【請求項８】
前記延在部は、その延在方向に対してアンテナ端子側に半円形状に屈曲している、請求項１から請求項４のいずれかに記載のシールドケース構造。
【請求項９】
前記延在部は、その延在方向に対してアンテナ端子と反対側に半円形状に屈曲している、請求項１から請求項４のいずれかに記載のシールドケース構造。
【請求項１０】
前記延在部を外部機器の前記筐体内側に当接させる、請求項１から請求項９のいずれかに記載のシールドケース構造。
【請求項１１】
前記延在部の端面に、前記筐体に設けられた孔部とカシメ接合するＴ字突起が設けられた、請求項１から請求項３のいずれかに記載のシールドケース構造。
【請求項１２】
前記延在部の端面に、前記筐体に設けられた孔部と嵌合するＬ字突起が設けられた、請求項１から請求項３のいずれかに記載のシールドケース構造。
【請求項１３】
前記延在部の端面に、前記筐体に設けられた孔部と嵌合するＬ字突起が設けられ、
前記Ｌ字突起の下部に、前記筐体の位置決め用の孔部と嵌合する位置決め用突起が設けられた、請求項１から請求項３のいずれかに記載のシールドケース構造。
【請求項１４】
前記位置決め用突起が半円形状である、請求項１３に記載のシールドケース構造。
【請求項１５】
前記位置決め用突起が直角三角形状であり、かつ、その直角三角形の直角部が延在部端面側のＬ字突起から離れた位置に配置される、請求項１３に記載のシールドケース構造。
【請求項１６】
請求項１から請求項１５のいずれかに記載のシールドケース構造を備えた、チューナ装置。
【請求項１７】
請求項１から請求項１５のいずれかに記載のシールドケース構造を含むチューナを備えた、受信装置。
【発明の詳細な説明】
【技術分野】
【０００１】
本発明は、シールドケース構造、チューナ装置および受信装置に関し、特に、放送信号などの高周波信号を受信するアンテナと該アンテナによって受信された高周波信号を処理する回路基板とを有するチューナ装置のシールドケース構造に関するものである。また該チューナ装置を実装するある基板を内装する外部筐体を有する受信装置に関するものである。
【背景技術】
【０００２】
従来、テレビやＶＴＲ用電子チューナにおいて、アンテナ端子は１つのシャーシ側板（第１の側板）にカシメにより取り付けられていた。
【０００３】
またアンテナ端子を取り付けた第１の側板を挟む２つの側板、第２、第３の側板はそれぞれ、第１の側板に設けられた嵌合孔に突起を挿入する形で挟持され、該突起をカシメることにより、第１の側板に強固に固定され保持される構造になっていた。
【０００４】
アンテナ端子の外部端子構造は台座とネジを切った部分の２つの部分で構成されており、台座の部分が上記シャーシ側面と接触するよう、チューナのシールドケース内側でカシメにより取り付けられている。
【０００５】
図２４から図２６は外部からの信号を受信するアンテナを接続するためのアンテナ端子が第１のシャーシ側板に設けられたチューナのシールドケースであり、図２４はそのアンテナ端子入力側から見た正面図である。また、図２５はその上面図であり、図２６はその側面図である。
【０００６】
図２４および２５に示すとおり、アンテナ端子１を取付けられた第１のシャーシ側板２は、それを挟み込む第２のシャーシ側板３と第３のシャーシ側板４により挟みこまれ、第１のシャーシ側板２に設けられたカシメ用突起２Ａ，２Ｂにより、それぞれのシャーシ側板に固定される。アンテナ端子１のシールドケース外側部分は、ネジを切った部分１Ａと台座部１Ｂとで構成される。またアンテナ端子１のシールドケース内側部分はカシメ部１Ｄと中心電極１Ｃとで構成され、アンテナ端子１は台座部１Ｂとカシメ部１Ｄとで、第１のシールド板２をカシメにより挟み込むことで強固に固定される。
【０００７】
また、アンテナ端子１の中心電極１Ｃは、チューナシールドケースに内装するチューナ回路基板７に半田付けにより接続される。
【０００８】
図２７から図２８は上記シールドケースを用いたチューナを実装したＶＴＲ等の受信装置であり、図２７はその上面図、図２８はその側面図である。
【０００９】
上記チューナは、セット基板８上にＧＮＤ端子４Ｂ（および３Ｂ）により半田付け固定される。
【００１０】
またチューナ等を実装したセット基板８は不要輻射や外部ノイズによる妨害を排除するため、金属性の外部筐体５によりカバーされる。
【００１１】
外部筐体５はアンテナ端子１にナット６により固定されることにより、機械的に固定されるだけでなく、より強固に電気的に接続される。つまり、セット基板８のＧＮＤを介してだけの電気接続では外部筐体との電気長が非常に長くなりシールド効果が少なくなるが、ナットにより直接チューナシールドケースと接続することにより、より大きなシールド効果が得ることができることになる。
【先行技術文献】
【特許文献】
【００１２】
【特許文献１】実開昭６３−１４１５８１号公報
【特許文献２】実開昭６１−９２０９５号公報
【発明の概要】
【発明が解決しようとする課題】
【００１３】
昨今の機器の小型化、ローコスト化から外部筐体の材質は薄く軽い材料が使われるようになってきた。しかしながら、アンテナ端子１にはネジ部１Ａが構成されるが、そのネジ部１Ａと台座部１Ｂとの間には、その構造上、ネジ切りが出来ない不完全ネジ領域Ａがあり、その幅Ａより外部筐体５の厚さＣが薄い場合、アンテナ端子１にナット６を取り付けても、ナット６と外部筐体５の間（または外部筐体５とアンテナ端子１の台座部１Ｂとの間）に隙間Ｅ（＝Ａ−Ｃ）が出来てしまい、電気的接続が不安定になり、不要輻射やＥＭＩ特性が劣化し、最悪の場合、法規制を遵守できない機器になってしまうという問題があった。
【００１４】
この問題を解決するため、図２９から図３０に示すように第１の側板２に、アンテナ端子の台座１Ｂの高さＢ、不完全ネジ領域Ａ、外部機器筐体の板厚Ｃに対し、Ｄ≧Ａ＋Ｂ−Ｃとなる高さＤの絞り加工を施し形成し、その中心部に孔９を設けた台座２Ｚを構成するような構造が用いられる。
【００１５】
図３１に示すように、この構造であれば外部筐体５はタッピングネジ１０により台座２Ｚに固定されるため、上記のように電気接続が不安定になるという問題は解決される。
【００１６】
しかしながらこの構造においては、外部筐体の固定に使用するタッピングネジ９がチューナのシールドケース内部に侵入することから、ネジ１０が長い場合、チューナ回路基板７上の部品を破壊したり、電気的干渉を起こしたりという問題が発生することがあった。
【００１７】
また、小型チューナのようなアンテナ端子どうしの間隔が狭い場合には、タップ台座を構成できないという問題があった。
【００１８】
本発明は、上記のような問題に鑑みてなされたものであり、本発明の目的は、電気的接続が安定し、かつ、小型化が図られたシールドケース構造、チューナ装置および受信装置を提供することにある。
【課題を解決するための手段】
【００１９】
本発明に係るシールドケース構造は、第１の側板および第１の側板に隣接する２つの側板を含むフレームと、第１の側板に接続されたアンテナ端子と、フレームの内部に設けられ、アンテナ端子の中心導体が接続される回路基板とを備え、２つの側板のうち少なくとも１つが、第１の側板の縁面よりもアンテナ端子の突出方向に延在する延在部を含み、該延在部が外部機器の筐体に当接するように構成されている。
【００２０】
１つの実施態様では、上記シールドケース構造において、第１の側板の少なくとも一方の端面が、延在部を備える隣接する側壁に当接する。
【００２１】
１つの実施態様では、上記シールドケース構造において、第１の側板の両端が、互いに対向する２つの側板によって挟持される。
【００２２】
１つの実施態様では、上記シールドケース構造において、アンテナ端子の台座部の高さＡ、アンテナ端子の不完全ネジ領域の幅Ｂ、筐体の板厚Ｃとしたときに、延在部の先端までの長さＤを、Ｄ≧Ａ＋Ｂ−Ｃの関係に設定する。
【００２３】
１つの実施態様では、上記シールドケース構造において、延在部は、その延在方向に対してアンテナ端子側にＬ字形状に屈曲している。
【００２４】
１つの実施態様では、上記シールドケース構造において、延在部は、その延在方向に対してアンテナ端子と反対側にＬ字形状に屈曲している。
【００２５】
１つの実施態様では、上記シールドケース構造において、Ｌ字形状に屈曲した延在部にネジ孔を設け、ネジ孔に固定したネジにより、筐体と延在部とをネジ止めしている。
【００２６】
１つの実施態様では、上記シールドケース構造において、延在部は、その延在方向に対してアンテナ端子側に半円形状に屈曲している。
【００２７】
１つの実施態様では、上記シールドケース構造において、延在部は、その延在方向に対してアンテナ端子と反対側に半円形状に屈曲している。
【００２８】
１つの実施態様では、上記シールドケース構造において、延在部を外部機器の筐体内側に当接させる。
【００２９】
１つの実施態様では、上記シールドケース構造において、延在部の端面に、筐体に設けられた孔部とカシメ接合するＴ字突起が設けられている。
【００３０】
１つの実施態様では、上記シールドケース構造において、延在部の端面に、筐体に設けられた孔部と嵌合するＬ字突起が設けられている。
【００３１】
１つの実施態様では、上記シールドケース構造において、延在部の端面に、筐体に設けられた孔部と嵌合するＬ字突起が設けられ、Ｌ字突起の下部に、筐体の位置決め用の孔部と嵌合する位置決め用突起が設けられている。
【００３２】
１つの実施態様では、上記シールドケース構造において、位置決め用突起が半円形状である。
【００３３】
１つの実施態様では、上記シールドケース構造において、位置決め用突起が直角三角形状であり、かつ、その直角三角形の直角部が延在部端面側のＬ字突起から離れた位置に配置される。
【００３４】
本発明に係るチューナ装置は、上述したシールドケース構造を備える。
本発明に係る受信装置は、上述したシールドケース構造を含むチューナを備える。
【発明の効果】
【００３５】
本発明に係るシールドケース構造によれば、アンテナ端子に不完全ネジ領域があった場合でも、外部機器筐体とシールドケースを確実に接触することができ、電気接続が不安定になるという問題は解決される。
【００３６】
また、チューナが小型化してアンテナ端子間隔が狭くなっても上記延在部の設置が可能なことから、チューナの小型化、および受信装置の小型化が図ることができる。
【００３７】
またアンテナ端子と反対側にL字形状に屈曲した延在部にネジ孔を設けたことにより、取り付け用のタッピングネジによる特性劣化や破壊等の不具合発生がなくなる。
【００３８】
さらに延在部に外部機器筐体に設けられた孔部とカシメ接合するＴ字突起を備えることにより、ナットによる締め付けなしに簡易に外部機器筐体の固定および電気的接触の確保が可能になり、受信装置のコストダウンが図ることができる。
【００３９】
また延在部端面に、外部機器筐体に設けられた孔部と勘合するＬ字突起と、そのＬ字突起の下部に外部機器筐体の位置決め用の孔部と嵌合する位置決め用突起を備えたことにより、ネジ止めやカシメ作業が廃止でき、よりいっそう受信装置のコストダウンが図ることができる。
【図面の簡単な説明】
【００４０】
【図１】本発明の第１の実施形態に係るシールドケース構造の正面図である。
【図２】本発明の第１の実施形態に係るシールドケース構造の上面図である。
【図３】本発明の第１の実施形態に係るシールドケース構造の側面図である。
【図４】図１〜図３に示すシールドケース構造を用いたチューナを実装した受信装置の上面図である。
【図５】図１〜図３に示すシールドケース構造を用いたチューナを実装した受信装置の側面図である。
【図６】本発明の第２の実施形態に係るシールドケース構造の正面図である。
【図７】本発明の第２の実施形態に係るシールドケース構造の上面図である。
【図８】本発明の第２の実施形態に係るシールドケース構造の側面図である。
【図９】本発明の第３の実施形態に係るシールドケース構造の正面図である。
【図１０】本発明の第３の実施形態に係るシールドケース構造の上面図である。
【図１１】本発明の第３の実施形態に係るシールドケース構造の側面図である。
【図１２】本発明の第４の実施形態に係るシールドケース構造の正面図である。
【図１３】本発明の第４の実施形態に係るシールドケース構造の上面図である。
【図１４】本発明の第４の実施形態に係るシールドケース構造の側面図である。
【図１５】本発明の第５の実施形態に係るシールドケース構造の正面図である。
【図１６】本発明の第５の実施形態に係るシールドケース構造の上面図である。
【図１７】本発明の第５の実施形態に係るシールドケース構造の側面図である。
【図１８】図１５〜図１７に示すシールドケース構造を用いたチューナを実装した受信装置の上面図である。
【図１９】図１５〜図１７に示すシールドケース構造を用いたチューナを実装した受信装置の側面図である。
【図２０】本発明の第６の実施形態に係るシールドケース構造の正面図である。
【図２１】本発明の第６の実施形態に係るシールドケース構造の上面図である。
【図２２】本発明の第６の実施形態に係るシールドケース構造の側面図である。
【図２３】本発明の第７の実施形態に係るシールドケースの側面図である。
【図２４】従来のシールドケース構造のアンテナ端子入力側から見た正面図である。
【図２５】従来のシールドケース構造の上面図である。
【図２６】従来のシールドケース構造の側面図である。
【図２７】図２４〜図２６に示すシールドケース構造を用いたチューナを実装した受信装置の上面図である。
【図２８】図２４〜図２６に示すシールドケース構造を用いたチューナを実装した受信装置の側面図である。
【図２９】従来のシールドケース構造の変形例のアンテナ端子入力側から見た正面図である。
【図３０】従来のシールドケース構造の変形例の上面図である。
【図３１】図２９〜図３０に示すシールドケース構造を用いたチューナを実装した受信装置の上面図である。
【発明を実施するための形態】
【００４１】
以下に、本発明の実施の形態（第１ないし第７の実施形態）について説明する。なお、同一または相当する部分に同一の参照符号を付し、その説明を繰返さない場合がある。
【００４２】
なお、以下に説明する各実施形態において、個数、量などに言及する場合、特に記載がある場合を除き、本発明の範囲は必ずしもその個数、量などに限定されない。また、以下の実施の形態において、各々の構成要素は、特に記載がある場合を除き、本発明にとって必ずしも必須のものではない。
【００４３】
（第１の実施形態）
本発明に係るシールドケースの第１の実施形態の構成について、図１〜図３に基づいて説明する。図１は、本実施形態に係るシールドケース構造を備えたチューナ（チューナ装置）の正面図である。また、図２はその上面図であり、図３はその側面図である。
【００４４】
図１〜図３に示すとおり、アンテナ端子１が接続される第１のシャーシ側板２はそれを挟み込む第２のシャーシ側板３と第３のシャーシ側板４により挟みこまれる。
【００４５】
また、第１の側板２はその両端部にカシメ用の突起２Ａ，２Ｂを有しており、カシメ用の突起２Ａ，２Ｂはそれぞれ、第２の側板３および第３の側板４に設けられた嵌合孔に挿入され、カシメにより強固に固定される。
【００４６】
アンテナ端子１のシールドケース外側部分は、ネジを切った部分１Ａと台座部１Ｂで構成される。またアンテナ端子１のシールドケース内側部分はカシメ部１Ｄと中心電極１Ｃで構成され、アンテナ端子１は台座部１Ｂとカシメ部１Ｄで、第１のシールド板２をカシメにより挟み込むことで強固に固定される。
【００４７】
アンテナ端子１が接続される第１の側板２を挟み込む第２のシャーシ側板３と第３のシャーシ側板４とには、それぞれ上記第１の側板の縁面よりもアンテナ端子の突出方向に延在する延在部３Ａ，４Ａが設けられる。延在部３Ａ，４Ａの長さは、アンテナ端子の台座１Ｂの高さＢ、不完全ネジ領域Ａ、外部機器筐体の板厚Ｃに対し、Ｄ≧Ａ＋Ｂ−Ｃの関係にある。
【００４８】
また、また、アンテナ端子１の中心電極１Ｃは、シールドケースに内装するチューナ回路基板７に半田付けにより接続される。
【００４９】
図４から図５は、上記シールドケースを用いたチューナを実装したＶＴＲ等の受信装置であり、図４はその上面図、図５はその側面図である。
【００５０】
上記チューナはセット基板８上にＧＮＤ端子４Ｂ（および３Ｂ）により半田付け固定される。
【００５１】
またチューナ等を実装したセット基板８は不要輻射や外部ノイズによる妨害を排除するため、金属性の外部筐体５によりカバーされる。
【００５２】
外部筐体５は、アンテナ端子１にナット６を取り付けることにより、上記延在部３Ａ，４Ａの端面に圧接され固定される。これにより外部機器筐体５はチューナシールドケースに機械的、電気的に接続され十分なシールド効果が得ることができる。
【００５３】
（第２の実施形態）
図６〜図８は本発明に係るシールドケースの第２の実施形態を示す図であり、図６はその正面図、図７はその上面図、図８はその側面図である。
【００５４】
第１の実施形態との相違点は、第２のシャーシ側板３と第３のシャーシ側板４の延在部３Ａ，４Ａがそれぞれ、延在方向に対してアンテナ端子側にＬ字形状または、半円形状に屈曲しているところにある。
【００５５】
これにより外部機器筐体５とチューナシールドケースの接触面積が大きくなり、より安定したシールド効果を得ることができる。
【００５６】
（第３の実施形態）
図９〜図１１は本発明に係るシールドケースの第３の実施形態を示す図であり、図９はその正面図、図１０はその上面図、図１１はその側面図である。
【００５７】
第２の実施形態との相違点は、第２のシャーシ側板３と第３のシャーシ側板４の延在部３Ａ，４Ａがそれぞれ、延在方向に対してアンテナ端子と反対側にＬ字形状または、半円形状に屈曲しているところにある。また、Ｌ字形状に屈曲した延在部３Ａの、アンテナ端子取り付ける第１の側板と平行する面部に外部機器筐体とをネジ止め固定するためのネジ孔９を設けたところも第２の実施形態との相違点である。
【００５８】
これにより外部機器筐体５とチューナシールドケースの接触面積が大きくなり、より安定したシールド効果を得ることができる。また、取り付け用のタッピングネジをチューナシールケースの外側に配置することが可能になることから、タッピングネジによる特性劣化や破壊等の不具合発生がなくなる。
【００５９】
第３の実施形態では第２のシャーシ側板３の延在部３Ａにのみネジ孔９を設けているが、第３のシャーシ側板４の延在部４Ａにもネジ孔９を設けた場合、よりいっそう優れたシールド効果を得ることができることは明白である。またネジ孔９を設けず、またはタッピングネジを使用せず、ナット６により外部機器筐体５を固定しても良いことは明白である。また、タッピングネジだけによる固定（ナットを使用しない）に限定した場合には、延在部の長さＤはアンテナ端子の台座１Ｂの高さＢ以上に設定すれば良い。
【００６０】
（第４の実施形態）
図１２〜図１４は本発明に係るシールドケースの第４の実施形態を示す図であり、図１２はその側面図、図１３は上記シールドケースを用いたチューナを実装したＶＴＲ等の受信装置の側面図、図１４はその正面図である。
【００６１】
第１の実施形態との相違点は、延在部３Ａ，４Ａにそれぞれ略Ｔ字型の突起３Ｃ，４Ｃを設けたことと、延在部３Ａ，４Ａの長さＤの設定をアンテナ端子の台座１Ｂの高さＢ以上にした点である。また外部機器筐体５には上記略Ｔ字型の突起３Ｂ，４Ｂが挿入される嵌合孔５Ｂが設けられていることも第１の実施形態との相違点である。
【００６２】
図１３，図１４において、外部機器筐体５にはアンテナ端子１用の嵌合孔５Ａと、上記略Ｔ字型の突起３Ｂ，４Ｂ用の嵌合孔５Ｂが設けられており、外部機器筐体５はチューナ正面方向から挿入する形でチューナシールドケースに取り付けられ、略Ｔ字型の突起３Ｂ，４Ｂを捻ることより強固に固定される。
【００６３】
これによりナット６やタッピングネジの廃止が可能になり、受信装置のコストダウンを図ることができる。
【００６４】
（第５の実施形態）
図１５〜図１７は本発明に係るシールドケースの第５の実施形態を示す図であり、図１５はその正面図、図１６はその上面図、図１７はその側面図である。
【００６５】
また、図１８は上記シールドケースを用いたチューナを実装したＶＴＲ等の受信装置の上面図、図１９はその側面図である。
【００６６】
第４の実施形態との相違点は、延在部３Ａ，４Ａに設けられる突起３Ｃ，４Ｃを略Ｌ字型としたことである。
【００６７】
（第６の実施形態）
図２０〜図２２は本発明に係るシールドケースの第６の実施形態を示す図であり、図２０はその側面図であり、図２１は上記シールドケースを用いたチューナを実装したＶＴＲ等の受信装置の側面図、図２２はその正面図である。
【００６８】
第５の実施形態との相違点は、延在部３Ａ，４Ａに設けた略Ｌ字型の突起３Ｃ，４Ｃの下部に外部機器筐体５の位置決め用の孔５Ｃと嵌合する位置決め用突起３Ｄ，４Ｄを設けたことである。
【００６９】
また、外部機器筐体５にはアンテナ端子１用の嵌合長円孔５Ａと、上記略Ｌ字型の突起３Ｂ，４Ｂ用の嵌合長孔５Ｂも設けられている。
【００７０】
このことにより外部機器筐体５の取り付けをチューナ正面の斜め上方向から斜め下に向かい挿入する形でチューナシールドケースに取り付けることが出来る。また、ある程度挿入した状態で外部機器筐体５をセット基板８に並行した後、最後に垂直に降ろすように取り付けることにより、上記略Ｌ字型の突起３Ｃ，４Ｃの嵌合下端と、外部機器筐体５の嵌合長円孔５Ｂの上端、および、位置決め用突起３Ｄ，４Ｄと、位置決め用の孔５Ｃがそれぞれ嵌合することにより、ナット６やタッピングネジ１０を使用することなく、ワンタッチで外部機器筐体５の取り付け完了することができる。
【００７１】
これにより更なる受信装置のコストダウンが図ることができる。
【００７２】
（第７の実施形態）
図２３は本発明に係るシールドケースの第７の実施形態の側面図である。
【００７３】
第６の実施形態との相違点は、延在部３Ａ，４Ａに設けた略Ｌ字型の突起３Ｃ，４Ｃの下部に外部機器筐体５の位置決め用の孔５Ｃと嵌合する位置決め用突起３Ｄ，４Ｄの形状が、直角三角形状であり、且つその直角三角形の直角部が延在部端面側のＬ字突起から離れた位置に配置されることである。
【００７４】
これにより、外部機器筐体５取り付け後の浮きやガタを防止でき、品質向上を図ることができる。
【００７５】
なお、アンテナ端子１は、Ｆ接栓、ＤＩＮ端子、あるいは、ソケット端子であってもよく、端子部の形状については特に限定されない。
【００７６】
以上、本発明の実施の形態について説明したが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【符号の説明】
【００７７】
１  アンテナ端子、２  第１のシャーシ側板、３  第２のシャーシ側板、４  第３のシャーシ側板、５  外部機器筐体、６  ナット、７  チューナ回路基板、８  セット回路基板、９  ネジ孔、１０  タッピングネジ。
【図１】
2012119514.tif 000003
【図２】
2012119514.tif 000004
【図３】
2012119514.tif 000005
【図４】
2012119514.tif 000006
【図５】
2012119514.tif 000007
【図６】
2012119514.tif 000008
【図７】
2012119514.tif 000009
【図８】
2012119514.tif 000010
【図９】
2012119514.tif 000011
【図１０】
2012119514.tif 000012
【図１１】
2012119514.tif 000013
【図１２】
2012119514.tif 000014
【図１３】
2012119514.tif 000015
【図１４】
2012119514.tif 000016
【図１５】
2012119514.tif 000017
【図１６】
2012119514.tif 000018
【図１７】
2012119514.tif 000019
【図１８】
2012119514.tif 000020
【図１９】
2012119514.tif 000021
【図２０】
2012119514.tif 000022
【図２１】
2012119514.tif 000023
【図２２】
2012119514.tif 000024
【図２３】
2012119514.tif 000025
【図２４】
2012119514.tif 000026
【図２５】
2012119514.tif 000027
【図２６】
2012119514.tif 000028
【図２７】
2012119514.tif 000029
【図２８】
2012119514.tif 000030
【図２９】
2012119514.tif 000031
【図３０】
2012119514.tif 000032
【図３１】
2012119514.tif 000033